(57)【要約】【課題】光ピックアップの対物レンズの作動距離が短くなったり、レンズホルダーが傾いて変位されると、信号記録媒体に対物レンズやレンズホルダーが衝突する危惧ある。【解決手段】光ピックアップ３０に対物レンズ１７に入射されるレーザー光の入射角を変化させるパワーレンズ１４を有すると共に、このパワーレンズ１４を光軸方向に駆動するパワーレンズアクチュエータ１８、２９を備え、フォーカスサーチ動作の開始時にパワーレンズアクチュエータを制御してパワーレンズ１４を光軸方向に駆動すると共に、光ピックアップに備える光検出器３１からの受光出力を用いて得られるフォーカスエラー信号に基づいてフォーカスサーボ領域に導入されたことを検出し、この検出の時点でフォーカスサーボをロックし、このロック状態を保持するように対物レンズ１７を駆動しながら、前記パワーレンズを初期位置に戻すようにしている。【選択図】図１
2006260646.tif 000002
【特許請求の範囲】
【請求項１】
信号記録媒体の信号層に対して対物レンズを駆動する対物レンズアクチュエータを備える光ピックアップから出射されるレーザー光の焦点位置をフォーカス方向に移動させるフォーカスサーチ動作によりフォーカスサーボ領域に導入するフォーカスサーボ導入装置において、前記光ピックアップは対物レンズに入射されるレーザー光の入射角を変化させるパワーレンズを有し、このパワーレンズは光軸方向に駆動するパワーレンズアクチュエータを備え、フォーカスサーチ動作の開始時に前記パワーレンズアクチュエータを制御して前記パワーレンズを光軸方向に駆動すると共に、光ピックアップに備える光検出器からの受光出力を用いて得られるフォーカスエラー信号を基づいてフォーカスサーボ領域に導入されたことを検出し、この検出の時点でフォーカスサーボをロックし、このロック状態を保持するように対物レンズを駆動しながら、前記パワーレンズを初期位置に戻すことを特徴とするフォーカスサーボ導入装置。
【請求項２】
前記パワーレンズは信号記録媒体にレーザー光を導く光ピックアップの出射光学系により発生される球面収差を補正する収差補正レンズであり、この収差補正レンズを光軸方向に変位させることにより球面収差の補正量を調節する構成となっていることを特徴とする請求項１記載のフォーカスサーボ導入装置。
【請求項３】
フォーカスサーボのロック状態を保持するように対物レンズを駆動しながら、前記収差補正レンズが戻される初期位置は、信号記録媒体の信号層を被覆するカバー層を介して前記信号層に収束されるレーザー光に発生する球面収差が最少となるように設定されていることを特徴とする請求項２記載のフォーカスサーボ導入装置。
【請求項４】
前記収差補正レンズはビームエキスパンダであることを特徴とする請求項２記載のフォーカスサーボ導入装置。
【請求項５】
フォーカスサーチ動作させるためのフォーカスサーチ信号を対物レンズアクチュエータを駆動する対物レンズドライバ及びパワーレンズアクチュエータを駆動するパワーレンズドライバに選択的に供給することを特徴とする請求項１記載のフォーカスサーボ導入装置。
【請求項６】
信号記録媒体の信号層を被覆するカバー層の厚みが相違する複数規格の信号記録媒体に対応するフォーカスサーボ導入装置であって、信号記録媒体の判別に応じて対物レンズドライバ及びパワーレンズドライバのいずれか一方にフォーカスサーチ信号を供給することを特徴とする請求項５記載のフォーカスサーボ導入装置。
【発明の詳細な説明】
【技術分野】
【０００１】
本発明は、信号記録媒体の信号層に対して光ピックアップから出射される光ビームの焦点位置をフォーカス方向に移動させるフォーカスサーチ動作によりフォーカスサーボ領域に導入するフォーカスサーボ導入装置に関する。
【背景技術】
【０００２】
レーザー光を使用して光学的に信号再生及びあるいは信号記録が行われる光ディスク等の信号記録媒体においては、普及している現行の光ディスク規格であるＤＶＤやＣＤより記録密度の向上が図られた新方式の光ディスク規格、Blu-ray規格やHD-DVD（High Density Digital Versatile Disk）規格が提案されている。
【０００３】
このような記録密度の向上が図られた光ディスク規格に対応する光ピックアップは、記録密度の向上に伴って、及び信号記録品質を高めるため要求される光学特性も厳しくなっており、ディスクにレーザー光を導く出射光学系により発生される球面収差を補正する収差補正レンズを設けているものが知られている。（特許文献１参照）
前記収差補正レンズはビームエキスパンダやコリメータレンズにより構成され、この収差補正レンズは光軸方向に変位可能であると共に、アクチュエータにより駆動可能になっており、ディスクの信号層を被覆するカバー層（透明基板）を介して前記信号層に収束されるレーザー光に発生する球面収差が最少となるように変位されるようになっている。
【０００４】
ところで、Blu-ray規格の場合、対物レンズのＮＡが０．８５とＤＶＤの０．６、ＣＤの０．４５と比べて著しく大きく、光ピックアップの外形形状や、記録密度及び信号記録品質の向上による光学部品の増加に伴う光学設計による制約、あるいは対物レンズアクチュエータの特性による制約から使用される対物レンズが設定され、これにより対物レンズの径を無闇に大きくすることはできず、必然的に焦点距離が小さくなっている。その為、対物レンズからディスクまでの距離が短く、対物レンズのフォーカス方向への作動距離（working distance）が短くなってしまう。
【０００５】
単一の光ピックアップによりBlu-ray規格のディスクの他に従来からのＤＶＤ規格やＣＤ規格に対応させる場合、単一の対物レンズにより各規格のディスク全てに対応させることが構成上好ましいが、このような単一の対物レンズを搭載する構成の光ピックアップであると、ディスクの信号層を被覆するカバー層の厚みの違いにより、すなわちディスクのカバー層の厚みがBlu-ray規格の場合０．１ｍｍであるのに対し、ＤＶＤでは０．６ｍｍ、ＣＤでは１．２ｍｍであり、対物レンズのフォーカス方向への作動距離が更に短くなってしまう。
【０００６】
ところで、レーザー光を使用してディスクを光学的に信号再生及びあるいは信号記録を行う光ディスク装置は、ディスクの信号層に対して光ピックアップから出射されるレーザー光の焦点位置をフォーカスサーチ動作によりフォーカス方向に移動させてフォーカスサーボ領域に導入するフォーカスサーボ導入装置を備えている。
【０００７】
光ピックアップからのレーザー光の焦点位置をフォーカス方向に移動させるために、光ピックアップは、通常、対物レンズが装着されるレンズホルダーを光軸方向を含む互いに直交する２方向に変位可能に弾性的に支持されると共に、前記レンズホルダーを電磁力により駆動する対物レンズ駆動装置を備えている。そして、フォーカスサーボ導入装置は、前記対物レンズ駆動装置を作動させてレンズホルダーを駆動し、これにより対物レンズを光軸方向に変位させることによりフォーカスサーチ動作させる。（特許文献２参照）
【特許文献１】特開２００３−２５７０６９号公報
【特許文献２】特開２００４−２７３０２３号公報
【発明の開示】
【発明が解決しようとする課題】
【０００８】
ところで、対物レンズを光軸方向に変位させてフォーカスサーチ動作させると、対物レンズの作動距離に伴ってディスクに対物レンズが衝突する危惧がある。特に、先述したBlu-ray規格のディスクに対応する光ピックアップは、対物レンズの作動距離が短くなっていることからディスクに対物レンズが衝突する危険が増す。
【０００９】
また、レンズホルダーの重量バランスの不均衡により対物レンズの光軸と直交する方向を中心にした有害な回転力が発生し、レンズホルダーが傾いて変位されることもあり、この場合、レンズホルダーの両脇部分がよりディスクに接近することになるので、ディスクにレンズホルダーが衝突する危険が増す。
【００１０】
その為、従来、レンズホルダーにディスクに対向して突出される突状の保護部材を他の部位よりディスクに接近するように設け、その保護部材をディスクのカバー層より軟質な材質により構成し、ディスクに衝突する部位を前記保護部材としてディスクや対物レンズを保護するようにしていた。
【００１１】
しかしながら、保護部材を構成する材質や設置位置の関係から別部品で用意する必要があったり、適当な設置位置が確保できない場合があると共に、衝突の際に保護部材の材質がディスクに付着する危惧がある。
【００１２】
すなわち、保護部材によりディスクや対物レンズを保護することは、根本的な解決とはならない。
【００１３】
一方、フォーカスサーチ動作により対物レンズがフォーカス方向に駆動される振幅を電気的な制御により規制してディスクに対物レンズが衝突するのを回避する方法もあるが、電気的な制御による方法はレンズホルダーが傾いたり、規制範囲のばらつきによりディスクに対物レンズが衝突するのを回避できないことが想定され、時にはフォーカスサーチ動作による対物レンズの振幅がフォーカスサーボ領域に到達するのに不足する危惧もあり、対物レンズの振幅の規制範囲など制御方法の設定が困難である。
【課題を解決するための手段】
【００１４】
請求項１に係る発明は、光ピックアップに対物レンズに入射されるレーザー光の入射角を変化させるパワーレンズを有すると共に、このパワーレンズを光軸方向に駆動するパワーレンズアクチュエータを備え、フォーカスサーチ動作の開始時に前記パワーレンズアクチュエータを制御して前記パワーレンズを光軸方向に駆動すると共に、光ピックアップに備える光検出器からの受光出力を用いて得られるフォーカスエラー信号に基づいてフォーカスサーボ領域に導入されたことを検出し、この検出の時点でフォーカスサーボをロックし、このロック状態を保持するように対物レンズを駆動しながら、前記パワーレンズを初期位置に戻すようにしている。
【発明の効果】
【００１５】
本発明に依れば、フォーカスサーボ導入をパワーレンズを駆動して行い、フォーカスサーボ導入後に対物レンズを変位させるようにしているので、対物レンズのフォーカス方向への作動距離が短くても確実にフォーカスサーボ導入が行えるようにしながら、ディスクに対物レンズやレンズホルダーが衝突されることが確実に回避できる。
【００１６】
また、パワーレンズとして光ピックアップに備えられている収差補正レンズを用いることで、追加のレンズ及びレンズアクチュエータを必要とせず、効率的である。
【００１７】
この場合、フォーカスサーボのロック状態を保持するように対物レンズを駆動しながら、収差補正レンズを初期位置に戻すようにしているので、フォーカスサーボのロック後に収差補正レンズは本来の使用が可能となる。
【００１８】
また、パワーレンズを駆動することによりフォーカスサーチ動作、及び従来どおりの対物レンズを駆動することによりフォーカスサーチ動作のいずれにも対応可能であり、自由度が高い。
【００１９】
この場合、信号記録媒体の判別に応じてフォーカスサーチ動作のために駆動するレンズを選択することにより、対物レンズのＮＡ、及び信号層を覆うカバー層までの距離に応じて信号層に合焦される際の対物レンズとディスクのカバー層表面までの距離が変化してもこの距離が短い場合はパワーレンズを駆動することによるフォーカスサーチ動作により対物レンズが信号記録媒体に衝突することを防止し、前記距離がある程度確保できる場合は対物レンズを駆動することによるフォーカスサーチ動作により信頼性を重視することが出来る。
【実施例１】
【００２０】
図１は本発明にかかるフォーカスサーボ導入装置の一実施例を示す回路ブロック図、図２は図１に示すフォーカスサーボ導入装置に用いられる光ピックアップの一例を示す光学配置図である。図２に示す光ピックアップ装置は、ＣＤ、ＤＶＤ及びＢｌｕ−ｒａｙ規格のディスクに対応する構成となっている。
【００２１】
第１レーザーユニット１は同一半導体基板上にＣＤに適した赤外波長帯７６５ｎｍ〜８０５ｎｍの第１波長、例えば７８０ｎｍのレーザー光を発光する第１発光点２と、ＤＶＤに適した赤色波長帯６４５ｎｍ〜６７５ｎｍの第２波長、例えば６５０ｎｍのレーザー光を発光する第２発光点３とを有するレーザーダイオードにより構成され、単一のレーザーユニットでＣＤ記録再生及びＤＶＤ記録再生に適合する２波長のレーザー光を発光するようになっている。
【００２２】
第２レーザーユニット４はＢｌｕ−ｒａｙ規格のディスクに適した青紫色（青色）波長帯４００ｎｍ〜４２０ｎｍの第３波長、例えば４０５ｎｍのレーザー光を発光する第３発光点５を有するレーザーダイオードにより構成される。
【００２３】
第１レーザーユニット１の第１発光点２及び第２発光点３からそれぞれ出射される第１波長及び第２波長の各レーザー光は、回折格子６によりトラッキング制御に使用される±１次回折光を形成するべく回折され、その後、１／２波長板７により偏光方向が調整されてダイクロイックプリズム８のフィルタ面８ａの透過方向からこのダイクロイックプリズム８に供給される。
【００２４】
一方、第２レーザーユニット４の第３発光点５から出射される第３波長のレーザー光は、回折格子９によりトラッキング制御に使用される±１次回折光を形成するべく回折され、その後、１／２波長板１０により偏光方向が調整されてダイクロイックプリズム８のフィルタ面８ａの反射方向からこのダイクロイックプリズム８に供給される。
【００２５】
このダイクロイックプリズム８は第１レーザーユニット１と第２レーザーユニット４とを別光路に配置する役割を担っており、ダイクロイックプリズム８のフィルタ面８ａは、６５０ｎｍ及び７８０ｎｍのレーザー光の透過率を９５％以上確保すると共に、４０５ｎ
ｍレーザー光の透過率を５％未満、すなわち反射率を９５％以上確保するような波長選択性を有する反射・透過コートが施されている。
【００２６】
その為、第１レーザーユニット１から出射される第１及び第２波長の各レーザー光はダイクロイックプリズム８のフィルタ面８ａを透過して偏光ビームスプリッタ１１に入射され、一方、第２レーザーユニット４から出射される第３波長のレーザー光はダイクロイックプリズム８のフィルタ面８ａを反射して偏光ビームスプリッタ１１に入射される。
【００２７】
ここで、第１波長、第２波長及び第３波長の各レーザー光は、それぞれ１／２波長板７及び１／２波長板１０により偏光ビームスプリッタ１１の偏光フィルタ面１１ａに対してｐ偏光に設定されてこの偏光フィルタ面１１ａを透過するように設定されている。
【００２８】
偏光ビームスプリッタ１１の偏光フィルタ面１１ａを透過した第１レーザーユニット１から出射される各レーザー光及び第２レーザーユニット４から出射されるレーザー光は、コリメータレンズ１２より平行光になされた後、反射ミラー１３により反射されて光軸が直角に折曲される。
【００２９】
反射ミラー１３により反射されたレーザー光は、ビームエキスパンダ１４及び１／４波長板１５をそれぞれ通過し、ホログラム素子１６を介した後、対物レンズ１７に入射され、該対物レンズ１７により収束されてディスクＤに照射される。
【００３０】
ビームエキスパンダ１４は凹レンズ１４ａ及び凸レンズ１４ｂの組み合わせレンズにより構成され、凹レンズ１４ａが光軸方向に変位可能であると共に、収差補正アクチュエータ１８により駆動可能になっており、対物レンズ１７に入射されるレーザー光束の角度を調整することにより対物レンズ１７から出射されるレーザー光に補正用の球面収差を発生させてディスクＤの信号層を被覆するカバー層（透明基板）を介して前記信号層に収束されるレーザー光に発生する球面収差が最少となるように変位されるようになっている。尚、このビームエキスパンダ１４が信号記録媒体の信号層に収束されるレーザー光に発生する球面収差を補正する球面収差補正レンズとなり、ビームエキスパンダ１４を構成する凹レンズ１４ａ及び凸レンズ１４ｂはレーザー光を拡散あるいは収束させるパワーを有するパワーレンズであり、請求項１に示すパワーレンズはアクチュエータにより駆動可能な凹レンズ１４ａに相当する。
【００３１】
ホログラム素子１６は、対物レンズ１７に入射するレーザー光の開口径を設定する開口設定手段となり、図３に示す如く、光軸を中心とした同心円状に内周から外周に向かって第１領域１６Ａ、第２領域１６Ｂ及び第３領域１６Ｃが形成されている。前記第１領域１６Ａは第１、第２及び第３波長の各レーザー光を９５％以上透過する透過特性を有する回折格子により構成され、第２領域１６Ｂは第２及び第３波長の各レーザー光に対して９５％以上の透過特性を有すると共に、第１波長のレーザー光に対して回折（又は反射）により０次光において５％以下の透過特性を有する回折格子（又は波長選択性のダイクロイックフィルタ膜）により構成され、前記第３領域１６Ｃは第３波長のレーザー光に対して９５％以上の透過特性を有すると共に、第１及び第２波長の各レーザー光に対して回折（又は反射）により０次光において５％以下の透過特性を有する回折格子（又は波長選択性のダイクロイックフィルタ膜）により構成されている。
【００３２】
このような光学系により第１レーザーユニット１の第１発光点２及び第２発光点３からそれぞれ発光されるＣＤ用の第１波長のレーザー光及びＤＶＤ用の第２波長のレーザー光と第２レーザーユニット４の第３発光点５から発光されるBlu-ray Disc用の第３波長のレーザー光は、単一の対物レンズ１７に入射され、該対物レンズ１７を対物レンズアクチュエータ１９によりフォーカス方向及びトラッキング方向に駆動することによりディスクＤ
の信号層の所定の信号トラックに収束されて照射される。
【００３３】
前記対物レンズ１７の入射面にはＣＤ、ＤＶＤ及びBlu-ray Discの適合波長及びＮＡに夫々適合するべく回折格子（図示せず）が形成されており、対物レンズ１７はこの回折格子により第１レーザーユニット１の第１発光点２から発光されるＣＤに適合する第１波長のレーザー光を所定の拡がり角で所定領域で入射してＣＤの記録再生に適したＮＡ及び収差補正されたレーザースポットが得られるように所期の特性が発揮されると共に、前記回折格子により第１レーザーユニット１の第２発光点３から発光されるＤＶＤに適合する第２波長のレーザー光及び第２レーザーユニット４の第３発光点５から発光されるBlu-ray Discに適合する第３波長のレーザー光を平行光でそれぞれ所定領域で入射してそれぞれＤＶＤ及びBlu-ray Discの記録再生に適したＮＡ及び収差補正されたレーザースポットが得られるように所期の特性が発揮される。
【００３４】
ディスクＤの信号層により変調されて反射されたレーザー光は対物レンズ１７に戻り、来た光路を経由して戻って偏光ビームスプリッタ１１に至る。この偏光ビームスプリッタ１１に戻されるレーザー光は、ディスクＤへの往路と復路で１／４波長板１５を２度通過するので、前記偏光ビームスプリッタ１１に戻されたレーザー光は偏光方向が１／２波長回転されている。その為、ディスクＤへの往路ではｐ偏光であったレーザー光がｓ偏光となって偏光ビームスプリッタ１１に入射される。
【００３５】
したがって、前記偏光ビームスプリッタ１１に戻されたレーザー光は、偏光フィルタ面１１ａにより反射され、ディスクＤに照射されるレーザー光のフォーカスエラー成分を発生させると共に、焦点調整を行うサーボレンズ２０を介して光検出器２１に導かれる。前記光検出器２１には、ＣＤの記録再生に用いられるＣＤ受光部（図示せず）、ＤＶＤの記録再生に用いられるＤＶＤ受光部（図示せず）及びBlu-ray Discの記録再生に用いられるBlu-ray Disc受光部（図示せず）が形成されており、ＣＤ用の第１波長のレーザー光は前記ＣＤ受光部の各受光領域に受光され、ＤＶＤ用の第２波長のレーザー光は前記ＤＶＤ受光部の各受光領域に受光され、Blu-ray Disc用の第３波長のレーザー光は前記Blu-ray Disc受光部の各受光領域に受光される。
【００３６】
その為、各種ディスクの記録信号が得られると共に、各種ディスクに対応したフォーカス制御及びトラッキング制御、あるいはチルト制御に用いられる各制御信号が得られる。
【００３７】
次に、前述のように球面収差補正の為に収差補正レンズ（図２のビームエキスパンダ１４に相当）を備える光ピックアップを用いるフォーカスサーボ導入装置を図１を用いて説明する。
【００３８】
光ピックアップ３０の収差補正レンズ（を構成する一部のレンズ（ビームエキスパンダ１４の凹レンズ１４ａ））は光軸方向に変位可能に支持され、収差補正レンズドライバ２８により駆動される収差補正アクチュエータ２９（図２の収差補正アクチュエータ１８に相当）により変位されるようになっている。
【００３９】
球面収差検出回路２５は後述する光ピックアップの各種エラー信号に基づいてディスクの信号層に収束されるレーザー光に発生する球面収差量を検出し、球面収差補正制御回路２６はこの検出された球面収差量を補正するべくこの球面収差量と同量で逆向きとなる収差補正制御信号を発生して収差補正レンズドライバ２８を制御する。この収差補正制御信号は選択スイッチ２７を介して選択的に収差補正レンズドライバ２８に供給される。
【００４０】
選択スイッチ２７は、前記収差補正制御信号の他にフォーカスサーチ信号生成回路２４から発生されるフォーカスサーチ信号を選択的に収差補正レンズドライバ２８に供給する
ようになっている。前記フォーカスサーチ信号生成回路２４から発生されるフォーカスサーチ信号は光プックアップ３０から出射されるレーザー光の合焦点を光軸方向に強制的に移動させる信号であり、例えば三角波信号が採用される。
【００４１】
光ピックアップ３０の光検出器３１（図２の光検出器２１に相当）にディスクからの反射光が受光されると、光検出器３１に形成される各ディスクに対応する受光部のうち、所定の受光部の各受光領域から各受光出力がそれぞれ導出される。
【００４２】
この各受光出力はそれぞれフロントエンド処理回路３２に供給されてイコライジングされ、フロントエンド処理回路３２の信号生成部３３は所定の演算処理を行ってディスクの記録マーク（ピット及びランド）に対応するＲＦ信号（ラジオ周波信号）、ディスクに照射されるレーザー光の信号層とのフォーカスずれを示すフォーカスエラー信号（ＦＥ信号）、前記レーザー光の信号トラックとのトラッキングずれを示すトラッキングエラー信号（ＴＥ信号）、及びラジアル方向における信号層との傾きを示すチルトエラー信号を生成する。
【００４３】
ここで、ＣＤ方式においては、フォーカスエラー信号を生成するのに非点収差法が採用されると共に、トラッキングエラー信号を生成するのに３ビーム法が採用され、ＤＶＤ方式及びBlu-ray Disc方式においては、フォーカス制御に非点収差法が、トラッキング制御にディスク種別（ＲＯＭ、Ｒ、ＲＷ、ＲＡＭ）に応じて差動プッシュプル法、あるいは位相差法が採用され、信号生成部３３は、これらの方式に則った演算処理を行う。
【００４４】
信号生成部３３により生成されたＦＥ信号はフォーカスサーボ回路３４に供給され、フォーカスサーボ回路３４は光ピックアップ３０から出射されるレーザー光をディスクの信号層に合焦させるべく対物レンズアクチュエータ３５（図２の対物レンズアクチュエータ１９に相当）を駆動する対物レンズドライバ３６が制御されるフォーカス制御信号を発生する。
【００４５】
フォーカスサーボ回路３４から発生されるフォーカス制御信号は、サーボループスイッチ３７を介して選択的に対物レンズドライバ３６に供給され、このサーボループスイッチ３７はフォーカスサーボ導入以前は開放され、フォーカスサーボ導入以降は閉じられるようにフォーカスサーボ導入制御回路３８により制御される。
【００４６】
フォーカスサーボ導入制御回路３８は信号生成部３３により生成されたＦＥ信号に基づいて光ピックアップ３０から出射されるレーザー光の合焦点がフォーカスサーボ領域に導入されたことを検出し、この検出によりフォーカスサーボ回路３４からのフォーカス制御信号が対物レンズドライバ３６に供給されるようにサーボループスイッチ３７が閉じられる。
【００４７】
また、フォーカスサーボ導入制御回路３８によりサーボループスイッチ３７を閉じてフォーカスサーボ状態に切り換えられるのと略同時に選択スイッチ２７がｂ端子側に切り換えられ、球面収差補正制御回路２６から発生される収差補正信号が収差補正レンズドライバ２８に供給されるようになる。
【００４８】
尚、フォーカスサーボ導入制御回路３８及び球面収差検出回路２５は、フォーカスサーボ導入を決められた処理手順に従って制御するためのＣＰＵ３９内に備えられる。
【００４９】
このように構成されるフォーカスサーボ導入装置において、フォーカスサーボ導入方法は図４に示すフローチャートのようになっている。
【００５０】
フォーカスサーボ導入が実行されると、選択スイッチ２７はフォーカスサーチ信号生成回路２４から発生されるフォーカスサーチ信号を選択するようにａ端子側に切り換えられ（ステップａ）、次に、フォーカスサーチ信号生成回路２４からフォーカスサーチ信号が発生される。その為、前記フォーカスサーチ信号が収差補正レンズドライバ２８に供給され、それによりビームエキスパンダ１４の凹レンズ１４ａが光軸方向に駆動され、フォーカスサーチ動作が開始される。同時にＣＰＵ３９内のタイマーの計時が開始され、フォーカスサーチ動作の時間計測が行われる（ステップｂ）。
【００５１】
ここで、ビームエキスパンダ１４の凹レンズ１４ａが光軸方向に駆動されると、図５（イ）乃至図５（ハ）に示す如く、凹レンズ１４ａの変位に伴って対物レンズ１７に入射されるレーザー光束の角度が変化するので、対物レンズ１７から出射されるレーザー光の合焦点が変位し、フォーカスサーチ動作が行われる。
【００５２】
フォーカスサーチ動作が開始されると、フォーカスサーボ導入制御回路３８は信号生成部３３により生成されるＦＥ信号が「０」になることを検出して光ピックアップ３０からのレーザー光の合焦点がフォーカスサーボ領域に導入されたか否かを判断する（ステップｃ）。
【００５３】
光ピックアップ３０からのレーザー光の焦点がフォーカスサーボ領域に導入されていないと判断されると、タイマーがフォーカスサーチ動作期間としてあらかじめ設定された時間内か否かが判断され（ステップｄ）、その時間内の場合はフォーカスサーチ信号を収差補正レンズドライバ２８に供給するのを継続してフォーカスサーチ動作を継続し、光ピックアップ３０からのレーザー光の焦点がフォーカスサーボ領域に導入されたと判断されずにフォーカスサーチ動作期間が設定時間を超えるまで行われる。
【００５４】
一方、光ピックアップ３０からのレーザー光の焦点がフォーカスサーボ領域に導入されたと判断されると、フォーカスサーチ動作時において開放されているサーボループスイッチ３７が閉じられ、これによりフォーカスサーボ回路３４からのフォーカス制御信号が対物レンズドライバ３６に供給されるようにする（ステップｅ）。フォーカスサーボ回路３４は信号生成部３３により生成されるＦＥ信号に基づくフォーカス制御信号を発生するので、このフォーカス制御信号が対物レンズドライバ３６に供給されることにより前記ＦＥ信号が「０」になるように対物レンズアクチュエータ３５により対物レンズ１７が駆動され、光ピックアップ３０から出射されるレーザー光がディスクＤの信号層に合焦されるように制御されるフォーカスサーボ状態になる。
【００５５】
フォーカスサーボ状態に切り換えられると、フォーカスサーチ信号生成回路２４からフォーカスサーチ信号が発生されるのが停止され、選択スイッチ２７は球面収差補正制御回路２６から発生される収差補正信号を選択するようにｂ端子側に切り換えられる。フォーカスサーボ状態に切り換えられた当初、球面収差補正制御回路２６はビームエキスパンダ１４の凹レンズ１４ａを初期位置に戻す制御信号を発生する。その為、前記凹レンズ１４ａが初期位置に戻される（ステップｆ）。この初期位置は例えば光電式や機械式などのスイッチの状態で判断されるようになっている。
【００５６】
凹レンズ１４ａを初期位置に戻すとき、フォーカスサーボ状態になっているので、フォーカスサーボ回路３４からのフォーカス制御信号により対物レンズアクチュエータ３５が駆動されることにより、凹レンズ１４ａの変位に伴う光ピックアップ３０から出射されるレーザー光の焦点の変位を打ち消すように対物レンズ１７が変位される。すなわち、凹レンズ１４ａが初期位置に戻される際にフォーカスサーボ状態を保持して対物レンズ１７が変位される。
【００５７】
したがって、対物レンズ１７が変位されてもこの対物レンズ１７がディスクＤの表面に衝突することが防止される。
【００５８】
凹レンズ１４ａが初期位置に戻されると、球面収差補正制御回路２６は球面収差検出回路２５により検出されるレーザー光の球面収差量に基づいてこの球面収差を補正する収差補正制御信号を発生し、これにより凹レンズ１４ａは収差補正アクチュエータ２９により収差補正制御信号に応じて駆動され、ディスクの信号層に収束されるレーザー光に発生する球面収差を補正する位置に変位される。
【００５９】
尚、本実施例においては、ビームエキスパンダ１４の凹レンズ１４ａを光軸方向に駆動することによりフォーカスサーチ動作を行うようになっているが、凸レンズ１４ｂが駆動可能であれば、この凸レンズ１４ｂでも良いし、ビームエキスパンダ１４に限らず、コリメータレンズやカップリングレンズなどのレーザー光を収束、あるいは拡散させるパワーを持ったパワーレンズが光軸方向に駆動可能になっていれば、フォーカスサーチ動作を行うことが出来、このような光軸方向に駆動可能なパワーレンズでフォーカスサーチ動作を行うようにすれば良い。
【実施例２】
【００６０】
図１に示す回路ブロック図に破線で示す信号経路を追加した回路は前述の実施例とは別のフォーカスサーボ導入装置を示している。
【００６１】
すなわち、フォーカスサーチ信号生成回路２４から発生されるフォーカスサーチ信号がスイッチ回路４１により選択的に対物レンズドライバ３６に供給される信号経路が追加され、前記スイッチ回路４１及び選択スイッチ２７がＣＰＵ３９内に備えられるディスク判別回路４０により判別されるディスク種別に応じて切り換えられるようになっている。
【００６２】
このように構成することにより判別されるディスク種別ＣＤ，ＤＶＤ及びBlu-ray Discによりフォーカスサーチ動作のために駆動するレンズをビームエキスパンダ１４の凹レンズ１４ａか対物レンズ１７かを選択するようにし、対物レンズ１７の作動距離がフォーカスサーチ動作に十分に確保できないBlu-ray Discにおいて、フォーカスサーチ動作のために凹レンズ１４ａを駆動するようにすると共に、対物レンズ１７の作動距離がフォーカスサーチ動作に十分に確保されるBlu-ray Disc以外のＣＤ，ＤＶＤにおいて、フォーカスサーチ動作のために従来どおりの対物レンズ１７を駆動するようにする。
【００６３】
このようにする場合、ディスク判別回路４０によりBlu-ray Discが判別されると、フォーカスサーボ導入制御回路３８によりフォーカスサーボ導入時に、選択スイッチ２７はフォーカスサーチ信号生成回路２４から発生されるフォーカスサーチ信号を選択するようにａ端子側に切り換えられると共に、スイッチ回路４１は開放される。その為、前述の実施例１と同様にビームエキスパンダ１４の凹レンズ１４ａのフォーカス方向への駆動によるフォーカスサーチ動作が行われる。
【００６４】
フォーカスサーボ領域に導入されると、サーボループスイッチ３７が閉じられてフォーカスサーボ状態に切り換えられ、その後は前述の実施例１と同様の動作となる。
【００６５】
一方、ディスク判別回路４０によりBlu-ray Disc以外のディスクであると判別されると、フォーカスサーボ導入制御回路３８によりフォーカスサーボ導入時に、選択スイッチ２７は球面収差補正制御回路２６から発生される収差補正信号を選択するようにｂ端子側に切り換えられると共に、スイッチ回路４１は閉じられる。その為、従来どおりの対物レンズ１７のフォーカス方向への駆動によるフォーカスサーチ動作が行われる。この場合、フォーカスサーチ動作中において球面収差補正制御回路２６から収差補正信号が発生される
のは停止され、ビームエキスパンダ１４の凹レンズ１４ａは初期位置に停止させておく。
【００６６】
フォーカスサーボ領域に導入されると、サーボループスイッチ３７が閉じられてフォーカスサーボ状態に切り換えられ、同時にスイッチ回路４１が開放される。その後は、球面収差補正制御回路２６から収差補正信号が発生される状態になり、収差補正信号に応じて凹レンズ１４ａが駆動され、ディスクの信号層に収束されるレーザー光に発生する球面収差の補正が行われる。
【図面の簡単な説明】
【００６７】
【図１】本発明にかかるフォーカスサーボ導入装置の一実施例を示す回路ブロック図である。
【図２】図１に示すフォーカスサーボ導入装置に用いられる光ピックアップの一例を示す光学配置図である。
【図３】ホログラム素子１６に形成される第１領域１６Ａ、第２領域１６Ｂ及び第３領域１６Ｃの形態を説明する説明図である。
【図４】図１に示すフォーカスサーボ導入装置におけるフォーカスサーボ導入方法を示すフローチャートである。
【図５】ビームエキスパンダ１４の凹レンズ１４ａの駆動によるフォーカスサーチ動作を説明する説明図である。
【符号の説明】
【００６８】
１        第１レーザーユニット
４        第２レーザーユニット
１４        ビームエキスパンダ（球面収差補正レンズ）
１４ａ      凹レンズ
１４ｂ      凸レンズ
１７        対物レンズ
１８、２９        収差補正アクチュエータ
１９、３５        対物レンズアクチュエータ
２５        球面収差検出回路
２７        選択スイッチ
３０        光ピックアップ
３１        光検出器
３２        フロントエンド処理回路
３３        信号生成部
３４        フォーカスサーボ回路
３７        サーボループスイッチ
３８        フォーカスサーボ導入制御回路
４０        ディスク判別回路
【図１】
2006260646.tif 000003
【図２】
2006260646.tif 000004
【図３】
2006260646.tif 000005
【図４】
2006260646.tif 000006
【図５】
2006260646.tif 000007